(57)【要約】【課題】静的表示媒体（例えば印刷物）と動的表示媒体（電子表示素子）との両方の利点を備えた表示媒体を提供する。【解決手段】表示媒体１００は、互いに対向する第１主面１２ａおよび第２主面１２ｂとを有するシート１２を備え、情報を静的に表示する第１領域Ｒ１と、情報を動的に表示する第２領域Ｒ２とを有する。【選択図】　図２
2004054233.tif 000002
【特許請求の範囲】
【請求項１】
互いに対向する第１主面および第２主面とを有するシートを備え、情報を静的に表示する第１領域と、情報を動的に表示する第２領域とを有する、表示媒体。
【請求項２】
前記第１主面の前記第１領域に情報が静的に表示されており、且つ、前記第１主面の前記第２領域に動的表示媒体が設けられている、請求項１に記載の表示媒体。
【請求項３】
前記動的表示媒体は、前記シート、および／または前記シートの第１領域に情報を表示するために用いられた材料と同じ材料を用いて形成された部材をその構成要素として含む、請求項１または２に記載の表示媒体。
【請求項４】
前記動的表示媒体は、反射型表示媒体であって、前記シートを反射層として利用する、請求項３に記載の表示媒体。
【請求項５】
前記第１領域には、少なくとも１種類のインクを用いて情報が表示されており、
前記動的表示媒体は、複数の画素を有し、前記複数の画素の間を遮光する遮光層が前記少なくとも１種類のインクに含まれるインクを用いて形成されている、請求項３または４に記載の表示媒体。
【請求項６】
前記少なくとも１種類のインクは、消色性を有している、請求項５に記載の表示媒体。
【請求項７】
前記第１領域には、複数の異なる色のインクを含む複数種類のインクを用いて情報が表示されており、
前記動的表示媒体は、複数の画素と、前記複数の画素に対応して設けられたカラーフィルタとを有し、前記カラーフィルタは、前記複数の異なる色のインクを用いて形成されている、請求項３から６のいずれかに記載の表示媒体。
【請求項８】
前記第１領域には、導電性インクを含む少なくとも１種類のインクを用いて情報が表示されており、
前記動的表示媒体は複数の導電部材を有し、前記複数の導電部材の少なくとも一部が前記導電性インクを用いて形成されている、請求項３から７のいずれかに記載の表示媒体。
【請求項９】
前記シートの前記第１領域以外の領域に電源回路、駆動回路および記憶回路の内の少なくとも１つの回路を有し、前記少なくとも１つの回路と、前記動的表示媒体が有する前記複数の導電部材の一部は、前記導電性インクを用いて形成された配線によって電気的に接続されている、請求項８に記載の表示媒体。
【請求項１０】
前記シートは可撓性を有する請求項１から９のいずれかに記載の表示装置。
【請求項１１】
前記シートは、基材と、前記基材の前記第１主面側の少なくとも前記第２領域に形成された保護層とを有する、請求項１から１０のいずれかに記載の表示媒体。
【請求項１２】
前記シートは繊維構造を有する基材を有する、請求項１から１１のいずれかに記載の表示媒体。
【請求項１３】
前記動的表示媒体は前記シートに対して着脱可能である、請求項１から１２のいずれかに記載の表示媒体。
【請求項１４】
前記動的表示媒体は、反射型表示媒体であって、前記シートを反射層として利用する、請求項１３に記載の表示媒体。
【請求項１５】
前記動的表示媒体は、電源回路、駆動回路および記憶回路の内の少なくとも１つの回路を有する、請求項１３または１４に記載の表示媒体。
【請求項１６】
前記シートの前記第１領域以外の領域に電源回路および駆動回路の少なくとも１つの回路を有し、前記少なくとも１つの回路と、前記動的表示媒体とが、前記シートに形成された配線によって電気的に接続されている、請求項１５に記載の表示媒体。
【請求項１７】
前記動的表示媒体は、アクティブマトリクス型表示素子である、請求項１から１６のいずれかに記載の表示媒体。
【請求項１８】
前記アクティブマトリクス型表示素子は可撓性を有する、請求項１７に記載の表示媒体。
【請求項１９】
前記アクティブマトリクス型表示素子は、転写されたアクティブ素子を有する、請求項１７または１８に記載の表示媒体。
【請求項２０】
前記静的表示媒体および前記動的表示媒体によって表示された情報が前記第１主面側から観察される、請求項１から１９のいずれかに記載の表示媒体。
【請求項２１】
前記静的表示媒体および前記動的表示媒体のいずれか一方に表示された情報が前記シートを介して前記第２主面側から観察される、請求項２に記載の表示媒体。
【請求項２２】
前記第２主面の前記第１領域に情報が静的に表示されており、且つ、前記第１主面の前記第２領域に動的表示媒体が設けられており、前記静的表示媒体および前記動的表示媒体によって表示された情報が前記第２主面側から観察される、請求項１に記載の表示媒体。
【請求項２３】
それぞれに情報が静的に表示された複数のシートを前記第１領域にさらに有する、請求項１から２２のいずれかに記載の表示媒体。
【発明の詳細な説明】
【０００１】
【発明の属する技術分野】
本発明は、従来の印刷物などに代表される情報を静的に表示する機能を少なくとも有する表示媒体（情報表示媒体）に関する。
【０００２】
【従来の技術】
近年、紙にインクを用いて情報が静的に表示された印刷物（新聞、雑誌や書籍など、ハードコピーと言われることもある。）に代替可能な表示素子が開発されつつある。この表示素子は、「電子ペーパー」と呼ばれることもある（例えば、非特許文献１）に、種々の方式の電子ペーパーが記載されている。電子ペーパーは、紙の代替する媒体として捕られるため、薄型であるという特徴以外に、可撓性（フレキシビリティ）や表示のメモリ性を有するものと定義されることがある。
【０００３】
本明細書においては、紙に代表される媒体を、情報を静的に表示する媒体（静的表示媒体）と呼び、電子ペーパーに代表される情報表示素子を動的表示媒体と呼ぶことにする。動的表示媒体は、表示する情報を書き換えることが可能である点において動的であり、動画を表示するものに限定されない。また、上述の狭義の電子ペーパーのように、可撓性や表示のメモリ性を有することを必ずしも要しない。ここで言う動的表示媒体は、表示素子の内の薄型（例えば厚さが５ｍｍ以下）のものと捕らえることもできる。動的表示媒体としては、例えば、液晶表示素子、ＥＬ表示素子、電気泳動型表示素子（Ｉｎ　ｐｌａｎｅ式、ツイストボール式、電気泳動型マイクロカプセルインク式などを含む）を例示することができる。
【０００４】
動的表示媒体の利点としては、情報の書き換えが可能であり省資源化に寄与する点（ソフトコピーとしての利用形態）や、情報ネットワークを介して必要な時に必要な情報を表示することができる点（携帯情報端末の表示部としての利用形態）が挙げられる。さらに、動的表示媒体の表示方式によっては、動画表示することができる点も大きな利点の１つである。
【０００５】
現在開発が進められているこれらの動的表示媒体は、比較的小型（典型的には表示面積がＡ５サイズ以下）のものが多い。これは主に動的表示媒体に携帯性を付与するためである。その結果、例えば電子新聞として利用する際には、一度に表示できる情報量が少ないため、画面をスクロールするなどの操作が必要となっている。
【０００６】
一方、静的表示媒体は、新聞紙に代表されるように、比較的大きな表示面を有し、多くの情報を１つの表示面で表示できるという利点を有している。従って、読者（利用者）は、ある特定に視野内に多くの情報を観察することができ、視点を移動させることによって瞬時に必要な情報を詳細に取得することができる（この特徴を「一覧性」と呼ぶことがある。）。例えば、記事の見出し部分のみを全体に見て、興味のある記事のみ細部に眼を通すといった読み方ができる。
【０００７】
なお、本明細書において、「情報」とは、利用者が求めるコンテンツを備えるものを指し、例えば、ＰＤＡなどの動的表示媒体を備えた電子機器の入力キーを識別するための文字や記号、絵などは含まない。
【０００８】
【特許文献１】
特開２００１−１８４１４１号公報
【非特許文献１】
「電子ペーパーは紙に代わるか」、日経サイエンス２００２年２月号（２００１年１２月２５日発売）第４２〜５１頁（原著：「Ｔｈｅ　Ｅｌｅｃｔｒｏｎｉｃ　Ｐａｐｅｒ　Ｃｈａｓｅ」、Ｓｃｉｅｎｔｉｆｉｃ　Ａｍｅｒｉｃａｎ、Ｎｏｖｅｍｂｅｒ　２００１、Ｓｔｅｖｅ　Ｄｉｔｌｅａ）
【０００９】
【発明が解決しようとする課題】
現在、表示素子に可撓性を付与するなどして、紙に代替可能な動的表示媒体の開発が進められているが、新聞紙に代替可能な動的表示媒体の開発には至っていない。例えば、表示品位（見易さ）の向上、表示面積の拡大、携帯性の向上などが求められている。
【００１０】
また、たとえ、新聞紙と代替可能な動的表示媒体が開発されたとしても、コストや、手触りなど紙が有する他の付加的な特徴が故に、紙を用いた静的表示媒体が淘汰されることはないと考えられる。
【００１１】
本発明は上記諸点に鑑みてなされてものであり、その目的は、静的表示媒体と動的表示媒体との両方の利点を備えた表示媒体を提供することにある。
【００１２】
【課題を解決するための手段】
本発明の表示媒体は、互いに対向する第１主面および第２主面とを有するシートを備え、情報を静的に表示する第１領域と、情報を動的に表示する第２領域とを有し、そのことによって上記目的が達成される。
【００１３】
ある実施形態において、前記第１主面の前記第１領域に情報が静的に表示されており、且つ、前記第１主面の前記第２領域に動的表示媒体が設けられている。
【００１４】
ある実施形態において、前記動的表示媒体は、前記シート、および／または前記シートの第１領域に情報を表示するために用いられた材料と同じ材料を用いて形成された部材をその構成要素として含む。
【００１５】
前記動的表示媒体は、反射型表示媒体であって、前記シートを反射層として利用する構成とすることができる。
【００１６】
前記第１領域には、少なくとも１種類のインクを用いて情報が表示されており、前記動的表示媒体は、複数の画素を有し、前記複数の画素の間を遮光する遮光層が前記少なくとも１種類のインクに含まれるインクを用いて形成されてもよい。
【００１７】
ある実施形態において、前記少なくとも１種類のインクは、消色性を有している。
【００１８】
前記第１領域には、複数の異なる色のインクを含む複数種類のインクを用いて情報が表示されており、前記動的表示媒体は、複数の画素と、前記複数の画素に対応して設けられたカラーフィルタとを有し、前記カラーフィルタは、前記複数の異なる色のインクを用いて形成されてもよい。
【００１９】
前記第１領域には、導電性インクを含む少なくとも１種類のインクを用いて情報が表示されており、前記動的表示媒体は複数の導電部材を有し、前記複数の導電部材の少なくとも一部が前記導電性インクを用いて形成されてもよい。
【００２０】
前記シートの前記第１領域以外の領域に電源回路、駆動回路および記憶回路の内の少なくとも１つの回路を有し、前記少なくとも１つの回路と、前記動的表示媒体が有する前記複数の導電部材の一部は、前記導電性インクを用いて形成された配線によって電気的に接続されてもよい。
【００２１】
前記シートは可撓性を有することが好ましい。
【００２２】
前記シートは、基材と、前記基材の前記第１主面側の少なくとも前記第２領域に形成された保護層とを有してもよい。
【００２３】
ある実施形態において、前記シートは繊維構造を有する基材を有する。
【００２４】
ある実施形態において、前記動的表示媒体は前記シートに対して着脱可能である。
【００２５】
ある実施形態において、前記動的表示媒体は、反射型表示媒体であって、前記シートを反射層として利用する。
【００２６】
ある実施形態において、前記動的表示媒体は、電源回路、駆動回路および記憶回路の内の少なくとも１つの回路を有する。
【００２７】
ある実施形態において、前記シートの前記第１領域以外の領域に電源回路および駆動回路の少なくとも１つの回路を有し、前記少なくとも１つの回路と、前記動的表示媒体とが、前記シートに形成された配線によって電気的に接続されている。
【００２８】
ある実施形態において、前記動的表示媒体は、アクティブマトリクス型表示素子である。
【００２９】
前記アクティブマトリクス型表示素子は可撓性を有することが好ましい。
【００３０】
ある実施形態において、前記アクティブマトリクス型表示素子は、転写されたアクティブ素子を有する。
【００３１】
ある実施形態において、前記静的表示媒体および前記動的表示媒体によって表示された情報が前記第１主面側から観察される。
【００３２】
ある実施形態において、前記静的表示媒体および前記動的表示媒体のいずれか一方に表示された情報が前記シートを介して前記第２主面側から観察される。
【００３３】
ある実施形態において、前記第２主面の前記第１領域に情報が静的に表示されており、且つ、前記第１主面の前記第２領域に動的表示媒体が設けられており、前記静的表示媒体および前記動的表示媒体によって表示された情報が前記第２主面側から観察される。
【００３４】
ある実施形態において、それぞれに情報が静的に表示された複数のシートを前記第１領域にさらに有する。
【００３５】
【発明の実施の形態】
以下、本発明の実施形態の表示媒体を図面を参照しながら説明する。
【００３６】
図１に模式的に示すように、本発明の実施形態の表示媒体１００は、静的表示媒体１０と、動的表示媒体２０とを備えている。静的表示媒体１０を構成するシート（例えば紙）１２の第１主面１２ａのある領域（第１領域とする）Ｒ１には情報が静的に表示されており、第１主面１２ａの他の領域（第２領域とする）Ｒ２には動的表示媒体２０を備えている。すなわち、シート１２の第１領域Ｒ１を含む部分が静的表示媒体１０である。第１主面１２ａの第１領域Ｒ１には、インク（染料、顔料、トナーなど従来の紙やプラスチックフィルム上に情報を表示（あるいは記録）するために用いられる材料を包含するものとする。）を用いて情報が表示されている。静的表示媒体１０は公知の方法で、公知のシート１２およびインク（不図示）を用いて製造される。動的表示媒体２０としては、公知の表示素子（例えば、液晶表示素子、ＥＬ表示素子、電気泳動型表示素子（例えば、電気泳動型マイクロカプセルインク式）、ツイストボール式表示素子、電子トナー表示素子を好適に利用することができる。
【００３７】
シート１２は、典型的には紙であり、プラスチックシートなどを用いることができる。シート１２およびその第１主面１２ａに情報を表示するために用いられるインクは、現在、印刷物を始めとするハードコピーに使われている材料を広く用いることができる。また、従来技術の説明では、静的表示媒体として新聞紙を例示したが、本発明によって、動的表示媒体による利点が付与される静的表示媒体は、新聞紙に限られない。図１には、一枚のシート１２に動的表示媒体２０が設けられた表示媒体１００を示しているが、複数の表示媒体１００を製本することもできる。また、書籍として利用する場合には、シート１２の第１主面１２ａだけでなく、シート１２の裏面（第２主面）１２ｂに静的に情報を表示しても良いし、さらに、裏面にも動的表示媒体を設けてもよい。さらに、本を構成する複数のシート１２の一部は、静的表示媒体だけで構成されても良い。
【００３８】
なお、シート１２として紙などの繊維構造を有するシートを用いる場合など、動的表示媒体２０をシート１２の第１主面１２ａに直接形成する際にバリア性などの特性が不足することがある。また、動的表示媒体２０を着脱可能とする際には表面の耐久性などの特性が不足する場合がある。シート１２のこれらの特性を補うために、動的表示媒体２０を設ける領域（Ｒ２）の表面に保護層を設けることが好ましい。もちろん、必要に応じて静的表示媒体１０とする領域にも保護層を形成してもよい。このとき静的表示媒体の印刷面を保護するように形成することが好ましい。保護層を設けた構成を採用すると、シート１２の材料の選択肢が広がり、例えば、拡散反射性に優れる紙などをシート１２として好適に利用することができる。
【００３９】
新聞紙などの大きな表示面積を有するシート１２に動的表示媒体２０を設ける場合には、その携帯性を損なわないように、例えば、四つ折りにする際に邪魔にならない位置に動的表示媒体２０を設けることが好ましい。
【００４０】
このように、静的表示媒体１０と動的表示媒体２０とを備える表示媒体１００は、以下のような利点を有する。
【００４１】
例えば静的表示媒体１０が新聞紙である場合、現在、写真や図面を掲載している箇所に、動的表示媒体２０を設ける。動的表示媒体２０を用いると、限られたスペースで複数の写真や図面を順次表示したり、あるいは、動画を表示することができる。従って、限られたスペースで利用者に多くの情報を提供したり、あるいは、静的表示媒体では提供することが不可能である動画情報を提供することができる。このように、本発明によると臨場感あふれる表示媒体を提供することが可能になる。動的表示媒体２０で表示する情報の入力方法については後述する。
【００４２】
なお、特許文献１には、印刷物に記載されたＵＲＩを読み取って、インターネットから該当するコンテンツを取得して表示する携帯型情報端末装置が開示されている。しかしながら、このような利用方法では、当然のことながら携帯型情報端末装置を利用者が保持する必要があり、さらに、携帯端末情報装置の表示面が印刷物の表示面と同一面内に位置するように携帯端末情報装置を保持することは困難である。従って、携帯端末情報装置の表示を観察するために、利用者は視線を印刷物の表示面から大きく移動する必要があり、印刷物が有する一覧性という特徴を阻害する。その結果、利用者は、携帯端末情報装置に視線を移して例えば動画表示を見ることに不便を感じるので、この機能を利用する頻度が低下する。
【００４３】
これに対し、本発明の実施形態の表示媒体１００は、動的表示媒体２０が静的表示媒体１０の表示面（ここでは第１主面１２ａ）に固定されているので、利用者は動的表示媒体２０だけを直接的に保持する必要がなく、動的表示媒体２０の表示面は静的表示媒体１０の表示面とほぼ同一面内にあるので、静的表示媒体１０の一覧性を損なうことがない。従って、利用者は不便を感じることなく、例えば動画情報を見ることができる。動的表示媒体２０で提供される情報は動画情報が典型的ではあるが、複数の静止画（例えば連続写真や図面）や文字情報であってもよい。
【００４４】
動的表示媒体２０は、静的表示媒体１０を構成するシート１２に一体に形成されていてもよいし（例えば図２参照）、シート１２の第２領域Ｒ２に着脱可能に装着されてもよい（例えば図１６参照）。表示媒体１００は、動的表示媒体２０を動作させるための駆動回路および電源回路、動的表示媒体２０に表示すべき情報を記憶・転送する記憶回路および／または表示すべき情報を受信・転送する通信回路を有する（いずれも不図示）。これらの回路は、動的表示媒体２０に設けられても良いし、シート１２に設けられ、配線等によって動的表示媒体２０と電気的に接続してもよい。
【００４５】
駆動回路は、動的表示媒体２０を構成する基板に一体に形成されることが好ましい。例えば、アクティブマトリクス型の表示素子を動的表示媒体２０として用いる場合、動的表示媒体２０を構成するアクティブマトリクス基板に駆動回路を一体に形成することが好ましい。アクティブクマトリクス基板として、例えば、プラスチックフィルムとその上に形成されて有機トランジスタを有するフレキシブル基板を用いると、表示媒体１００全体のフレキシビリティ（可撓性）を損なうことがないので好ましい。また、動的表示媒体の質量や厚さの低減およびコストの低下のためにも有効である。
【００４６】
電源回路には種々の電池を用いることができる。例えば、種々の１次電池や２次電池、あるいは、太陽電池や燃料電池を用いることができる。また、シート状バッテリを用いることが好ましく、表示媒体１００が長期間に亘って保存して用いられる場合には、表示媒体１００を構成するシート１２の全部または一部をシート状バッテリとしてもよい。表示媒体１００に電池を設けないで、外部電源（例えば電池）と接続するための電源用端子、あるいは、電磁誘導等によって非接触で外部から電力を受け取る素子を設けても良い。電源回路またはその一部（例えば電池）は、必要に応じて、表示媒体１００から着脱可能とされ得る。
【００４７】
記憶回路は、例えば、メモリカードなどの着脱可能な記憶媒体が有する記憶回路を用いることができる。表示媒体１００が新聞のように流通することを想定すると、表示媒体１００を販売する際に利用者の要求に応じてメモリカードを提供すればよい。
【００４８】
また、表示媒体１００が通信回路を備える場合には、表示媒体１００の静的表示媒体１０の一部に、例えば必要な表示情報を取得できるサイトのＵＲＩを記載しておいて、利用者が必要に応じて情報を取得するようにすることができる。なお、利用者が情報を取得する際に料金を課金しても良いし、表示媒体１００を提供する際に一緒に徴収してもよい。また、一部の情報については表示媒体１００とともに提供し、追加の情報を利用者の要求に応じて提供するようにしてもよい。表示媒体１００が通信回路を備える場合には、上述した特許文献１に記載されている種々の方法を用いて情報を提供することができる。
【００４９】
さらに、動的表示媒体２０を着脱可能とする場合には、表示媒体１００が有する複数の第２領域Ｒ２に対して１つの動的表示媒体２０を共通に用いることができる。このとき、動的表示媒体２０が装着されて第２領域Ｒ２ごとに所定の情報を表示できるように、例えば第２領域Ｒ２ごとに割り振ったアドレス情報を表示媒体１００に記載しておき、必要に応じて利用者がこのアドレス情報を入力することによって、情報を提供してもよい。また、動的表示媒体２０に検出回路を設けておき、動的表示媒体２０が装着された第２領域Ｒ２に応じたアドレス情報を読み取り、所定の情報を記憶回路あるいは所定のサイトから取得するようにしてもよい。
【００５０】
また、着脱可能な動的表示媒体２０は、新聞などの定期刊行物については、繰り返し利用できる。例えば、静的表示媒体１０を含むシート１２だけを必要なときに購入し、動的表示媒体２０で表示すべき対応する情報だけをその都度取得するようにすることができる。情報の提供方法は、上述したように、メモリカードなどの記録回路を備える記録媒体を利用しても良いし、通信回路を利用しても良い。
【００５１】
書籍のように利用される情報を表示媒体１００は、動的表示媒体２０を着脱式にするメリットは少なく、静的表示媒体１０と同様にシート１２上に形成しておけばよい。この場合、記憶回路も着脱式にする必要は特に無く、より安価な記憶素子を用いればよい。
【００５２】
動的表示媒体２０として、例えば、液晶表示媒体（ＰＤＬＣ、ＦＬＣ、ＡＦＬＣなど）や電気泳動型表示媒体などのメモリ性を有する表示媒体を用いることが好ましい。動的表示媒体２０がメモリ性を有すると、例えば、従来、静止画（例えば写真）が表示されていた第２領域Ｒ２に動的表示媒体２０を設ける場合に、静止画を予め表示させた状態で、表示媒体１００を利用者に提供することができる。利用者は動的表示媒体２０に表示されている静止画を見て、さらなる情報の必要性を判断した上で、動的表示媒体２０を動作させることができるので、利便性が高く、且つ、省電力効果も高い。
【００５３】
動的表示媒体２０を着脱式にするか固定式にするかは提供する情報に依存して適宜選択され、動的表示媒体２０で表示する情報の提供の仕方も表示媒体１００の用途（すなわち表示する情報の種類）に応じて適宜選択される。いずれの場合においても、動的表示媒体２０として反射モードの表示媒体を用いることが好ましい。なぜならば、表示媒体１００は静的表示媒体１０と同一平面において情報を表示するものであり、静的表示媒体１０は周囲光を利用した表示（すなわち反射モード表示）であるので、動的表示媒体２０は、静的表示媒体１０による表示が良好に観察される状況下で良好な表示を行うことが好ましい。また、反射型表示媒体は光源を必要としないので消費電力が小さいという利点もある。さらに、反射型表示媒体が、典型的な反射型液晶表示媒体のように拡散反射層（「散乱層」と呼ばれることもある）を利用する場合には、シート１２を拡散反射層として利用することができる。これは、反射型表示媒体をシート１２の第１主面１２ａに固定して用いる場合でも着脱可能とする場合でもよい。
【００５４】
また、動的表示媒体２０として、有機ＥＬ表示媒体などの自発光型の表示媒体を用いることもできる。自発光型表示媒体を用いる場合には、上述したように、シート１２の第１主面１２ａの第１領域Ｒ１に静的に情報を表示し、第１主面１２ａの第２領域に動的表示媒体２０を設けて、第１主面側から観察するように構成しても良いし（図１２参照）、シート１２の第２主面側から観察されるように構成してもよい（図１３Ａおよび図１３Ｂ参照）。
【００５５】
以下、動的表示媒体２０をシート１２に一体に形成した固定式の表示媒体（実施形態１）と、動的表示媒体２０がシート１２から取り外しできる着脱可能式の表示媒体（実施形態２）のさらに具体的な例を説明する。
【００５６】
（実施形態１）
図２は、実施形態１の表示媒体１１０の断面構造を模式的に示している。表示媒体１１０は、シート１２の同一主面（第１主面）１２ａ上に、静的表示媒体１０によって静止画情報が表示される第１領域Ｒ１と、動的表示媒体２０によって動画情報を表示する第２領域Ｒ２とを備えている（図１参照）。表示媒体１１０が有する動的表示媒体２０は例えば反射型液晶表示素子２０である。
【００５７】
シート１２の第１領域Ｒ１には印刷文字や図などのパターン１４が形成されており、シート１２の第２領域Ｒ２には反射型液晶表示素子２０の共通電極２２が形成されている。共通電極２２は、その上に形成された表示媒体層（例えば液晶層）２５を駆動するために必要な電気部材として設けられている。第２領域Ｒ２に形成された共通電極２２上には液晶層２５が設けられ、さらにその上にはアクティブマトリクス側基板（フィルムも含む）２１が設けられている。アクティブマトリクス側基板２１の液晶層２５側には、薄膜トランジスタ（ＴＦＴ）２４や画素電極２３が備えられており、画素電極２３と共通電極２２の間に液晶層２５が設けられている。反射型液晶表示素子２０は公知の構造を有し、ＴＦＴなどの３端子素子に限られず、ＭＩＭ素子などの２端子素子を用いても良い。
【００５８】
表示媒体１１０は、静的表示媒体と動的表示媒体２０とを同一面上に備えるので、従来の印刷物、特に文章記事とそれに関連する写真や絵が記載されている印刷物（例えば新聞紙）に対し、写真や絵が静止画ではなく動画表示（映像表示）を提供できるので、臨場感のある表示を提供できる。
【００５９】
また、シート１２が、第１領域Ｒ１の静的表示媒体１０のシート１２と、第２領域Ｒ２の動的表示媒体２０のシート１２を兼用していることから、構成が単純化でき、部材の共通化によるコストダウンが可能となる。
【００６０】
さらに、シート１２を紙などの繊維構造を有するシートで構成すると、良好な拡散反射性を得ることができるので、共通電極２２を透明導電材料（例えばＩＴＯ）で形成することによって、シート１２を拡散反射層として利用することができ動的表示媒体２０の構造および製造プロセスを簡略化することができる。また、後述するように、静的表示媒体１０を構成するパターン１４を形成する材料（以下、単に「インク」と称する。）と動的表示媒体２０を構成する部材を形成する材料を共通化することによって、あるいは共通のプロセスで形成することによって、更なる低コスト化が可能になる。
【００６１】
なお、図２では、理解しやすいように厚さ方向を拡大して記載しているが、シート１２の第１主面１２ａ上にシート状の動的表示媒体２０（例えば厚さが５ｍｍ以下）が形成されたものである。動的表示媒体２０のアクティブマトリクス側基板２１としてフレキシブルな基板（例えばプラスチックフィルム）を用いることによって、表示媒体１１０全体をフレキシブルなものとできる。
【００６２】
次に、表示媒体１１０の各部材の具体例および表示媒体１１０の変形例を説明する。
【００６３】
（シート）
シート１２は、シート形状のものであれば特に限定されないが、プラスチックシート、金属シート、セラミックシート（ガラスシートも範囲に含む）、紙などの繊維構造体などの材料を用いることができる。本発明による表示媒体は、比較的大面積（例えばＡ４以上、特にＢ４以上）の特にその利便性が発揮され、新聞紙や印刷物の代替品として好適に利用できるためには、フレキシブルな材料が特にに好ましく、プラスチックシート、紙などの繊維構造体、薄い金属シートが特に好ましい。
【００６４】
また、図３に示すように、シート１２の表面に耐水性、耐薬液性、耐環境性、防塵性、表面の平坦化性、絶縁性などの機能を付与するために、保護層（例えば樹脂膜）１６を設けていても良い。特に、紙などの繊維構造体のシートの場合は、防塵性や平坦性、耐薬品性を得るために、第２領域Ｒ２に電気部材を形成する前に、樹脂膜からなる保護層１６を設けておくことが好ましい。例えば、図３に示すように、静的表示媒体１０のパターン１４や動的表示媒体２０を形成する前に、シート１２の第１主面１２ａのほぼ全領域に保護層１６を形成する。
【００６５】
あるいは、図４に示すように、シート１２の第１主面１２ａ上にパターン（例えば印刷文字）１４を形成した後、パターン１４を覆うように保護層１６を形成してもよい。このようにすれば、第２領域Ｒ２に動的表示媒体２０を形成するプロセスの間、パターン（例えば印刷文字）１４を保護することができ、パターン１４を形成するインクの材料選択の範囲を広げることができる。従って、従来から普及している種々の公知の印刷用インクを利用することが容易となる。
【００６６】
あるいは、図５に示すように、シート１２の第２領域Ｒ２、即ち動的表示媒体２０を形成する領域に選択的に保護層１６を形成した例である。シート１２の第２領域の表面は、例えば、電極を形成するための平坦性や耐水生が要求されるために保護層１６を設けるとことが好ましいが、第１領域Ｒ１には、保護層１６を形成することを省略することも可能である。シート１２として紙を用いた場合、紙の表面に直接印刷インクが配置され、かつ、印刷インクの上には何も形成されないので、第１領域Ｒ１では、紙の上に印刷された印刷物そのものの優れた視認性を維持することができる。第１領域Ｒ１の保護層１６の除去は、第２領域Ｒ２の動的表示媒体２０形成時の耐プロセス性を考慮した場合、動的表示媒体２０を形成した後に除去することが望ましい。
【００６７】
図６は、シート１２として金属シート１２Ａを使用し、シート１２Ａの第２領域Ｒ２の表面１２ｂを共通電極（図２の共通電極２２参照）を兼用した構造である。これにより、図２における共通電極２２を別途形成する工程を省略することができる。また、第１領域Ｒ１の保護層１６として、白色の絶縁材料（白色顔料を含有する樹脂シートや拡散反射性を備えた樹脂シート）を用いることで、その保護層１６表面に印刷された文字の視認性を向上させることができる。また、第２領域Ｒ２においては、金属からなるシート１２の表面１２ｂが共通電極として機能するので、例えば、表示媒体層２５に液晶層２５を用いる場合には、シート１２を反射電極として用いることで、単純な構造で反射型ディスプレイを実現することができる。
【００６８】
（アクティブ素子）
第２領域Ｒ２に設ける動的表示媒体２０を駆動方式としては、単純マトリクス方式による駆動でも可能であるが、表示品位の観点からは、アクティブマトリクス駆動を用いる方が好ましい。
【００６９】
アクティブマトリクス駆動を行うためには、画素毎にアクティブ素子を形成する必要がある。アクティブ素子としては、アモルファスシリコン膜、ポリシリコン膜、連続粒界シリコン膜、あるいは有機半導体膜を用いて形成された薄膜トランジスタ（ＴＦＴ）、ＭＩＭ素子、バックツーバックダイオード素子、強誘電性非線形素子などを用いることができる。この中でも、駆動電圧が低くスイッチング特性が優れているＴＦＴを用いることが特に好ましい。
【００７０】
ＴＦＴは、ＴＦＴをシート１２や基板２１の上に周知のプロセスを用いて製造することができる。なお、第１領域Ｒ１に設ける静的表示媒体の形成には印刷技術が多用されることから、アクティブ素子の形成も印刷技術（例えばインクジェット技術、オフセット印刷など）を適用する方が、プロセスを簡略化できる利点が大きい。例えば、ＴＦＴの金属電極は、金属イオンや金属超微粒子を含む導電性インクや、導電性高分子材料をインクジェットで塗布形成し焼成することで得ることができる。また、絶縁膜や導電性酸化膜は、金属イオンを含むゾルゲル塗布液や金属錯体を含む溶液をインクジェット塗布形成し焼成する方法や、ポリイミドなどの有機絶縁材料をインクジェット塗布形成し焼成する方法で得ることができる。また、半導体膜は、有機半導体含有溶液をインクジェットで塗布形成し焼成することで得ることができる。例えば、”Ｉｎｋｊｅｔ　Ｐｒｉｎｔｅｄ　Ｐｏｌｙｍｅｒ　Ｔｈｉｎ　Ｆｉｌｍ　Ｔｒａｎｓｉｓｔｏｒｓ　ｆｏｒ　Ａｃｔｉｖｅ−Ｍａｔｒｉｘ　Ｄｉｓｐｌａｙ　Ａｐｐｌｉｃａｔｉｏｎｓ”、　ＳＩＤ　Ｄｉｇｅｓｔ　２００２、　ｐｐ．１１９３−１１９５　（２００２）などに記載されているＴＦＴ形成方法を用いることができる。
【００７１】
なお、シート１２や基板２１の耐熱性や耐薬品性が弱く、シート１２や基板２１に直接ＴＦＴが形成できない場合には、一旦別の基板（耐熱性、耐薬品性の優れたガラス、シリコンウエハ、石英基板など）上に周知のプロセスでＴＦＴを形成し、その後、シート１２や基板２１上にＴＦＴを転写することによって、ＴＦＴを形成することも可能である。これにより、シート１２や基板２１の材質の選択支を大幅に広げることが可能となり、かつ、ＴＦＴの製造プロセスを最適化することが容易になるので高性能なＴＦＴを形成することが可能になる。なお、ＴＦＴの転写プロセスとしては、例えば、”Ｌｏｗ　Ｔｅｍｐｅｒａｔｕｒｅ　Ｐｏｌｙ−Ｓｉ　ＴＦＴｓ　ｏｎ　Ｐｌａｓｔｉｃ　Ｓｕｂｓｔｒａｔｅ　Ｕｓｉｎｇ　Ｓｕｒｆａｃｅ　Ｆｒｅｅ　Ｔｅｃｈｎｏｌｏｇｙ　ｂｙ　Ｌａｓｅｒ　Ａｂｌａｔｉｏｎ／Ａｎｎｅａｌｉｎｇ”、　ＳＩＤ　Ｄｉｇｅｓｔ　２０００、　ｐｐ．９１６−９１９　（２０００）　や、”Ｌｏｗ−Ｔｅｍｐｅｒａｔｕｒｅ　Ｐｏｌｙｃｒｙｓｔａｌｌｉｎｅ−Ｓｉｌｉｃｏｎ　ＴＦＴ　ＣｏｌｏｒＬＣＤ　Ｐａｎｅｌ　Ｍａｄｅ　ｏｆ　Ｐｌａｓｔｉｃ　Ｓｕｂｓｔｒａｔｅｓ”、　ＳＩＤ　Ｄｉｇｅｓｔ　２００２、　ｐｐ．１１９６−１１９９　（２００２）　などに記載されている方法を用いることができる。
【００７２】
（動的表示媒体）
第２領域Ｒ２に設ける動的表示媒体２０としては、液晶表示素子、ＥＬ表示素子、電気泳動型表示素子、黒色粒子（トナーなど）の移動を利用した電子トナー型表示素子、球体の回転を利用したボールツイスト表示素子など、上記日経サイエンス２００２年２月号（２００１年１２月２５日発売）第４２〜５１頁などに記載されている公知の薄型表示素子を採用することができる。これらの中でも、特に薄型（例えば厚さ５ｍｍ以下）で、シート１２としてフレキシブルなものを用いた構造が好ましい。
【００７３】
上記の図２から図６においては、表示媒体層２５として液晶層を用いた構造を示している。図２〜図６の表示媒体では、動的表示媒体２０を構成する基板２１として、例えば、フレキシブルで透明なプラスチックシート（フィルム）が用いられる。
【００７４】
シート１２に液晶層２５を介して対向するように配置された基板２１の液晶層２５側の表面には、アクティブ素子（例えば、アモルファスシリコン膜や連続粒界シリコン膜、あるいは有機半導体膜を用いて形成された薄膜トランジスタ：ＴＦＴ）２４と透明導電材料（例えばＩＴＯ）を用いて形成された画素電極２３がマトリクス状に多数形成されている。もちろん、各画素電極２３毎にデータ信号を伝送する信号線や、線順次にアクティブ素子を駆動するための走査線なども、基板２１上に設けられてているが、図では省略している。この基板２１と前述のシート１２は、互いに画素電極２３と共通電極２２とが液晶層２５を介して対応するように配置されている。液晶層２５は、基板２１の周辺を囲むように設けられた封止材（シール部）２６で封入され、外部に漏れないようになっている。このようにして、シート１２の第２領域Ｒ２に動的表示媒体２０が形成された、液晶層２５は、画素電極２３と共通電極２２との間に印加される電圧で駆動される。なお、液晶層２５以外の表示媒体層を用いる場合は、液晶層の代わりに各々の表示媒体層を置き換えた構造にすればよい。また、共通電極２２をＡｌ、Ａｇなどの金属を用いて反射電極としてもよい。あるいは、上述したように、共通電極２２をＩＴＯや有機導電材料などの透明導電材料を用いて形成することによって、シート１２、あるいは、シート１２上に設けられた保護層１６の反射特性を利用して、反射型表示素子を構成してもよい。
【００７５】
図２〜図６に示した例とは逆に、例えば図７に示すように、共通電極２２をシート１２上に形成し、アクティブ素子２４や画素電極２３を基板２１上に形成してもよい。なお、アクティブ素子２４を画素毎に形成するプロセスは、薄膜の微細加工技術が要求されるため、面積が小さく、かつ静的表示媒体が存在しない基板２１側にアクティブ素子２４などを形成する構成の方が、作製しやすくプロセスの最適化も容易であるので好ましい。
【００７６】
（製造方法）
次に、静的表示媒体１０を構成するパターン１４を形成するインクと、動的表示媒体２０を構成する部材を形成する材料を共通化することによって、あるいは共通のプロセスで形成する製造方法の例を説明する。
【００７７】
例えば、第１領域Ｒ１のパターン１４と、第２領域Ｒ２の電気部材とを共通の導電性材料で形成する。ここで用いられる導電材料としては、導電性インク（例えば、黒色導電性樹脂）や金属薄膜などが考えられる。導電性インクを用いる場合には、公知の種々の印刷法を利用することができる。
【００７８】
金属薄膜を用いる場合、無電解湿式めっき法で、静的表示媒体１０のパターン１４としての金属膜（第１領域Ｒ１）と、動的表示媒体２０の電気部材としての金属膜（第２領域Ｒ２）の両者を、シート１２の全面に形成し、その後エッチング処理によりパターニングを行なうことで、同時に形成することができる。例えば、ヒドラジンを還元剤に用いた無電解Ｎｉメッキ法（表面技術、Ｖｏｌ．５３、Ｎｏ．１、ｐｐ．３１−３３、２００２に開示されている方法）を用いると、基材上に黒色のＮｉ膜を形成することができるため、その黒色Ｎｉ膜を静止画像・文字などのパターン１４とし、動的表示媒体２０の配線／電極材料との両方に使用することができる。但し、シート１２として、紙などを私用する場合は、耐プロセス性の観点から、図３に示したような保護層１６をシート１２（好ましくは表裏両面に）形成することが好ましい。
【００７９】
また、導電性インクに代えて、液体の金属前駆体溶液（有機金属材料など）、導電性樹脂、ＣｕやＡｕなどの金属超微粒子などを、ジェッティング法によってパターン形成することも可能性である。さらに、従来の転写法や印刷法によって、金属膜パターンや導電性樹脂パターンを形成することも可能である。
【００８０】
また、図８および図９Ａに示すように、動的表示媒体２０がブラックマトリクス２７を有する場合、第１領域Ｒ１のパターン（例えば印刷文字）１４と同じ材料およびプロセスで、第２領域Ｒ２のブラックマトリクス２７を形成することで、プロセスの増加を防ぐことが可能になる。図８および図９Ａに示した構造は、共通電極２２の下側にブラックマトリクス２７を設けているので、共通電極２２が透明な材料（例えばＩＴＯ、有機導電材料など）である場合に有効である。なお、図８および図９Ａに示したように、パターン１４およびブラックマトリクス２７は、シート１２の表面に直接形成しても良いし、シート１２の表面に保護層１６を形成し、保護層１６上に形成しても良い。
【００８１】
ブラックマトリクス２７は、動的表示媒体２０において、通常、画素の区画を形成する目的や、アクティブ素子に外光が入射するのを防ぐ（例えば、図８および図９Ａに示した構造の場合は、外光がシート１２に反射されて、アクティブ素子２４に入射するのを防ぐ）目的で、マトリクス状に形成されることが多い。
【００８２】
また、図７に示したように、シート１２側にアクティブ素子２４を形成する場合にも適用できる。例えば、図９Ｂに示すように、シート１２の表面にアクティブ素子２４や画素電極２３を形成した後、第１領域Ｒ１のパターン（例えば印字文字）１４と同じ材料およびプロセスを用いて第２領域Ｒ２のブラックマトリクス２７を形成してもよい。
【００８３】
さらに、図１０および図１１Ａに示すように、動的表示媒体２０がブラックマトリクス２７およびカラーフィルタ２８を有する場合、第１領域Ｒ１のパターン（例えば印刷文字）１４と同じ材料およびプロセスで、第２領域Ｒ２のブラックマトリクス２７およびカラーフィルタ２８を形成することによって、プロセスの増加を防ぐことが可能になる。なお、この構造は、共通電極２２の下側にブラックマトリクス２７を設けているので、共通電極２２が透明な導電材料（例えばＩＴＯ、有機導電材料など）である場合に有効である。
【００８４】
また、図７に示したように、シート１２側にアクティブ素子２４を形成する場合にも適用できる。例えば、図１１Ｂに示すように、シート１２の表面にアクティブ素子２４や画素電極２３を形成した後、第１領域Ｒ１のパターン（例えば印字文字）１４と同じ材料およびプロセスを用いて第２領域Ｒ２のブラックマトリクス２７やカラーフィルタ２８を形成してもよい。
【００８５】
上述の説明では、表示媒体２０として液晶表示媒体を用いた実施形態を主に説明したが、表示媒体２０として有機ＥＬ表示媒体を用いた実施形態を図１２、図１３Ａおよび１３Ｂを参照しながら説明する。
【００８６】
図１２に示す表示媒体１２０は、上述した実施形態の表示媒体と同様にシート１２の第１主面１２ａの第１領域Ｒ１にインクを用いて情報が表示されているとともに、第１主面１２ａの第２領域Ｒ２に動的表示媒体（有機ＥＬ表示媒体）２０が設けられている。この有機ＥＬ表示媒体２０は、トップエミッションタイプの自発光型の表示媒体であり、図中の白抜き矢印で示す方向に表示光を出射する。従って、利用者は、シート１２の第１主面１２ａ側から表示された情報を観察する。
【００８７】
有機ＥＬ表示媒体２０には、公知の有機ＥＬ表示素子を適用することができる。例えば、シート１２側から、反射電極５１、有機ＥＬ層５３、および透明電極５２がこの順に積層されている。反射電極５１の材料には、例えばＡｌ系合金を用い、透明電極５２の材料にはＩＴＯやＩＺＯ（インジウム亜鉛酸化物）などを用いることが好ましい。有機ＥＬ層５３としては、既知の高分子材料や低分子材料からなる発光材料を用いることができる。有機ＥＬ層５３は単層で形成しても良いし、必要に応じて、発光層と独立に電子輸送層や正孔輸送層などを形成してもよい。また、有機ＥＬ表示媒体２０は表示品位の観点からアクティブマトリクス型であることが好ましく、画素毎に例えばＴＦＴ５４を設けることが好ましい。また、反射電極５１、透明電極５２、有機ＥＬ層５３、およびＴＦＴ５４を含む素子部を外部の酸素や水分から遮断するためバリア層（保護層）５５を設けることが好ましい。
【００８８】
表示媒体１２０のように、動的表示媒体２０として有機ＥＬ表示媒体を使用すると、シート１２上に全ての素子を形成することができ、液晶表示媒体における対向基板２１（例えば図２参照）が不要になるために、より薄い表示媒体を実現することができる。また、高分子材料を用いて有機ＥＬ層５３を形成すると、第１領域Ｒ１にパターン（印刷文字）１４を形成するために典型的に用いられる印刷法で有機ＥＬ層５３を形成することが可能となり、プロセスを簡略化できる利点が大きい。印刷法の中でもインクジェット法が特に好ましい。
【００８９】
動的表示媒体２０としてボトムエミッションタイプの有機ＥＬ表示媒体を用いると、図１３Ａおよび図１３Ｂに模式的に示すような表示媒体１２０を構成することができる。図１３Ａおよび図１３Ｂに示した有機ＥＬ表示媒体２０では、シート１２側から、透明電極５２、有機ＥＬ層５３、および反射電極５１がこの順に積層されている。ＴＦＴ５４を含む素子部は、バリア層５５によって覆われている。これらの図に示した表示媒体１２０において、有機ＥＬ表示媒体２０は、図中の白抜き矢印で示す方向に表示光を出射する。従って、利用者は、シート１２の第２主面１２ｂ側から表示された情報を観察する。
【００９０】
このような構成を採用すると、上記の利点に加えて、表示媒体１２０の利用者側の表面の平坦均一性が向上するという利点が得られる。但し、この場合は、シート１２を透明な材質（透明プラスチックなど）で構成する必要がある。なお、図１３Ｂに示して動的表示媒体１２０においては、静的に情報を表示するパターン１４はシート１２の第２主面１２ｂ側に形成されているので、シート１２の静的表示媒体１０に対応する領域（Ｒ１）は透明であることを要しない。図１３Ｂの表示媒体１２０は、図１３Ａの構成に比べて、静的表示媒体１０のパターン１４をシート１２を介して観察する必要がなくなり、パターン１４の視認性が向上する。
【００９１】
（記憶回路、電源回路、駆動回路の配設）
第２領域Ｒ２における動的表示媒体２０を駆動するためには、動的表示媒体２０が表示する画像データが格納された記憶回路、動的表示媒体２０を動作させるための電源回路および駆動回路（以下まとめて機能回路と呼ぶ）３０を設ける必要がある。
【００９２】
図１４は、シート１２側にこれらの機能回路３０を配設した構成を模式的に示す図である。ここでは、シート１２に設けられた機能回路３０で形成された画像信号をシート１２側のアクティブ素子（ＴＦＴ）に入力するために、シート１２と基板２１との電気的接続を可能とする電極転移（「トランスファ」と呼ばれることもある。）３２を備えている。電極転移３２は、例えば、異方導電性接着剤（ＡＣＰやＡＣＦ）を用いて形成され、配線１８と電気的に接続されている。この構造は、記憶回路や駆動回路をＬＳＩチップで形成し、シート１２に上に実装する場合に適している。配線１８も例えば導電性インクを用いてパターン１４と同じ工程で形成され得る。
【００９３】
また、図１５は、動的表示媒体２０の基板２１上に機能回路３０を設けた構造を模式的に示す図である。この構成を採用すると、図１４に示した場合のように、電極転移３２を必要としない。さらに、記憶回路や駆動回路を、アクティブ素子２４を形成するプロセスを用いて、シート１２上にモノリシックに形成することで、記憶回路や駆動回路の実装プロセスを簡略化することができる。これら機能回路をモノリシックに形成するためには、ポリシリコンＴＦＴ技術を用いることが望ましい。なお、必要に応じて、記憶回路、駆動回路、電源回路のいずれか１つか２つをシート１２側に形成し、残りを基板２１側に形成しても良い。また、上述したように、記憶回路の代わりに、あるいは、記憶回路とともに通信回路をさらに設けてもよい。
【００９４】
（実施形態２）
上述の実施形態１の情報報表示媒体１１０がシート１２上に動的表示媒体２０を直接形成する（固定式）タイプであるのに対し、実施形態２の表示媒体１３０は、動的表示媒体２０をシート１２上に着脱可能に保持するタイプである。
【００９５】
図１６は、図２〜図１５と同様に図１の断面図に対応し、理解しやすいように厚さ方向を拡大して記載している。
【００９６】
図１６に示した表示媒体１３０は、シート１２上に粘着層４０を用いて動的表示媒体２０が着脱可能に保持されている。実施形態１と異なり、パターン１４を形成するインクを用いて動的表示媒体２０の構成部材の一部を形成することはできないが、動的表示媒体２０を繰り返し利用できるという利点が得られる。なお、動的表示媒体２０を反射型表示素子で構成する場合には、シート１２を拡散反射層として利用することはできる。
【００９７】
シート１２の第２領域Ｒ２に動的表示媒体２０を保持する手段としては、種々考えられるが、複数回の着脱（保持⇔取り外し）が可能な保持手段が望ましい。なぜならば、静的表示媒体１０を備えたシート１２と異なり、動的表示媒体２０は情報を書き換えることができるので、動的表示媒体２０のみを再利用することが望ましいからである。これによって、本発明の表示媒体１３０の利用者は、静的表示媒体１０を備えたシート１２のみを買い換えて、そのたびに動的表示媒体２０を貼り付けて、上述した方法で情報を得ることができるようになる。
【００９８】
このとき、買い換えたシート１２に表示されている静的表示媒体情報の内容に併せて、動画表示媒体の表示内容も更新する必要があるが、このためには、新しい静的表示媒体情報に併せて無線／有線で関連の表示データをダウンロードするか、あるいはシート１２を買い換える際に関連する動画表示データが格納されたメモリカードを同時に購入できるようにしておけばよい。
【００９９】
ここで、複数回の着脱が可能な固定手段としては、例示した粘着層４０を用いる方法や、マグネットシートを利用して磁力で保持する方法、面ファスナー（マジックテープ（登録商標））の原理を利用して保持する方法などを採用することができる。
【０１００】
第２領域Ｒ２に設ける動的表示媒体２０としては、実施形態１の表示媒体１１０と同様に、液晶表示素子、ＥＬ表示素子、電気泳動型表示素子、電子トナー型表示素子やボールツイスト表示素子などを利用することができる。
【０１０１】
また、動的表示媒体２０を動作させるために必要な機能回路（記憶回路、電源回路および駆動回路）３０の配設については、実施形態１と同様に、シート１２側や動的表示媒体２０側のいずれに設けても良い。特に、動的表示媒体２０側に、機能回路３０を配設する場合には、記憶回路や駆動回路を、アクティブ素子２４を形成するプロセスを用いて、シート１２上にモノリシックに形成することで、記憶回路や駆動回路の実装プロセスを簡略化することが好ましい。もちろん、実施形態１と同様に、記憶回路の代わりに、あるいは、記憶回路とともに通信回路をさらに設けてもよい。
【０１０２】
（実施形態３）
実施形態１に記載の表示媒体１１０は、実施形態２の表示媒体１２０と異なり、静的表示媒体１０と動的表示媒体２０が一体に形成（例えば構成部材の一部を共有している）ために、動的表示媒体２０のみを再利用することができない。しかしながら、実施形態１の表示媒体１１０についても、それ自身が動的表示媒体２０を備えた高付加価値デバイスであることから、再利用できることが好ましい。そこで、本実施形態３においては、実施形態１で示した表示媒体１１０の再利用方法について説明する。
【０１０３】
表示媒体１１０を再利用するためには、表示媒体１１０に表示されている情報を更新する必要がある。動的表示媒体２０で表示する情報についていは、例えば新たな情報を電気的に供給することによって簡単に更新することが可能である。一方、静的表示媒体１０は典型的には印刷物であるが、例えば、消色性を有するインクを用いることによって、その情報を更新することができる。ここで、「消色性」とは、化学的な変化によって発色状態から消色状態に変化する性質を指し、この化学的な変化は、例えば、加熱や光照射などによるエネルギー付与、または溶媒の付与によって生じる。
【０１０４】
例えば、表示媒体１１０のパターン（例えば印刷文字）１４の形成に、消色性を有するインクを用いれば、表示媒体１１０を使用した後インクを消させて、この後、新たな情報に対応するパターン１４を形成することによって、静的表示媒体１０の情報を更新できる。動的表示媒体２０の情報の更新は、例えば、この後で電気的に実行できるし、動画表示媒体２０がメモリ媒体を受容可能な構成を有する場合は、メモリ媒体を交換すればよい。すなわち、動画表示媒体２０のハードは再利用し、情報（ソフト）だけを更新する。
【０１０５】
消色性を有するインクとしては、例えば、色素、発色剤および消色剤を含むインクを用いることが好ましい。このインクは、印刷した後は、通常、発色状態となる所定のパターン１４を形成することによって、情報を静的に表示することができる。表示媒体１１０使用が終わった後、エネルギー付与や溶媒付与によって、色素と発色剤の結合が切断されて、消色状態となる。さらに、遊離した発色剤と消色剤が結合し、消色状態を安定化させる。消色剤は省略することもできる。このような消色性を有するインクとしては、例えば、特開２０００−１９７７０号公報に記載されているものを用いることができる。もちろん、これに限られず、化学的および／または物理的な処理によって消色可能なインク（トナーを含む）を適宜用いることができる。また、および／または物理的な処理によって消色できないインクを用いた場合であっても、パターン１４上に白色インク（シート１２と同色のインク）を上塗りした後、再利用しても良い。
【０１０６】
上述した実施形態２や実施形態３で説明した表示媒体を用いることによって、表示媒体の再利用が可能になるため、例えば、動画表示挿絵を備えたリサイクル新聞、リサイクル本、リサイクルカタログ、リサイクル広告、リサイクルカレンダーなどを実現することが可能になる。
【０１０７】
（実施形態４）
上述した実施形態１〜３では、第１領域Ｒ１に静的表示媒体を有し、第２領域Ｒ２に動的表示媒体を有する一枚のシート１２から構成された表示媒体を例示したが、勿論、複数のシート１２を用いて表示媒体を構成しても良い。本実施形態では、動的表示媒体は１個で、静的表示媒体が複数のシートで構成されている表示媒体の例を説明する。
【０１０８】
図１７Ａおよび図１７Ｂに示した表示媒体１４０は、シート１２の第１領域Ｒ１に複数のシート１３２で構成された静的表示媒体１０を有している。複数のシート１３２は、典型的には紙であり、シート１２と同じ材料であってもよし、異なっても良い。複数のシート１３２は冊子状に固定されていることが好ましく、それぞれのシート１３２の両面１３２ａおよび１３２ｂに情報が静的に表示されている。図１７Ｂに示した表示媒体１４０は、シート１３２に開口部１３２ｃを有し、開口部１３２ｃを通して、動的表示媒体２０に表示される情報を観察できるように構成されている。
【０１０９】
これらの表示媒体１４０では、例えば、動的表示媒体２０の１画面（１個）に対して、静的表示媒体１０の複数ページ（シート１３２）が対応することになる。この場合、動的表示媒体２０は、静的表示媒体１０のページ（シート１３２の面１３２ａおよび／または１３２ｂ）に対応する表示を行う。
【０１１０】
このとき、閲覧している静的表示媒体１０のページを自動的に認識し、そのページに表示されている情報の内容に対応した情報が、自動的に動的表示媒体２０に表示されるシステムを有することが好ましい。このようなシステムは、例えば、以下のように構成できる。
【０１１１】
静的表示媒体１０の各シート１３２（ページ）の上部にシート１３２ごとに異なる位置に切り欠き（不図示）を設けておき、最終ページのシート１２に、複数のシート１３２の切か欠き部に対応した位置に光センサ（不図示）を設けておく。シート１３２をめくるごとに外光を受光する光センサの組合せが異なるので、その組み合わせを特定することによって、現在開いているシート１３２（ページ）を自動的に認識することができる。
【０１１２】
あるいは、静的表示媒体１０の閲覧しているシート１３２（ページ）を自動的に認識するシステムを有しない場合であっても、動画表示媒体２０の近傍に表示切替ボタン（不図示）を設けておき、利用者が任意にボタンを押すことで、動的表示媒体２０に表示される情報を切り替えるように構成してもよい。
【０１１３】
本実施形態の表示媒体１４０によると、比較的に製造コストが高く付加価値の高い動的表示媒体２０の個数を少なくして、比較的多くの情報を提供できるので、コストパフォーマンスの優れた、例えば、動画表示挿絵を備えたリサイクル新聞、リサイクル本、リサイクルカタログ、リサイクル広告、リサイクルカレンダーなどを実現することが可能になる。
【０１１４】
【発明の効果】
本発明によると、静的表示媒体と動的表示媒体との両方の利点を備えた表示媒体が提供される。本発明の表示媒体は、動的表示媒体を備えるので、限られたスペースで複数の写真や図面を順次表示したり、あるいは、動画を表示することができる。従って、限られたスペースで利用者に多くの情報を提供したり、あるいは、静的表示媒体では提供することが不可能である動画情報を提供することができる。また、表示媒体全体としては静的表示媒体が有する一覧性に優れるという特徴を備えている。
【図面の簡単な説明】
【図１】本発明の実施形態の表示媒体１００の構成を模式的に示す斜視図である。
【図２】本発明による実施形態１の表示媒体１１０の構成を模式的に示す図である。
【図３】本発明による実施形態１の他の表示媒体の構成を模式的に示す図である。
【図４】本発明による実施形態１のさらに他の表示媒体の構成を模式的に示す図である。
【図５】本発明による実施形態１のさらに他の表示媒体の構成を模式的に示す図である。
【図６】本発明による実施形態１のさらに他の表示媒体の構成を模式的に示す図である。
【図７】本発明による実施形態１のさらに他の表示媒体の構成を模式的に示す図である。
【図８】本発明による実施形態１のさらに他の表示媒体の構成を模式的に示す図である。
【図９Ａ】本発明による実施形態１のさらに他の表示媒体の構成を模式的に示す図である。
【図９Ｂ】本発明による実施形態１のさらに他の表示媒体の構成を模式的に示す図である。
【図１０】本発明による実施形態１のさらに他の表示媒体の構成を模式的に示す図である。
【図１１Ａ】本発明による実施形態１のさらに他の表示媒体の構成を模式的に示す図である。
【図１１Ｂ】本発明による実施形態１のさらに他の表示媒体の構成を模式的に示す図である。
【図１２】本発明による実施形態１のさらに他の表示媒体の構成を模式的に示す図である。
【図１３Ａ】本発明による実施形態１のさらに他の表示媒体の構成を模式的に示す図である。
【図１３Ｂ】本発明による実施形態１のさらに他の表示媒体の構成を模式的に示す図である。
【図１４】本発明による実施形態１の表示媒体における機能回路３０の配置例を模式的に示す図である。
【図１５】本発明による実施形態１の表示媒体における機能回路３０の他の配置例を模式的に示す図である。
【図１６】本発明による実施形態２の表示媒体１３０の構成を模式的に示す図である。
【図１７Ａ】本発明による実施形態４の表示媒体１４０の構成を模式的に示す図である。
【図１７Ｂ】本発明による実施形態４の表示媒体１４０の構成を模式的に示す図である。
【符号の説明】
１０　静的表示媒体
１２　シート
１２ａ　シートの第１主面
１２ｂ　シートの第２主面
１４　パターン（印刷文字など）
２０　動的表示媒体
２１　基板
２２　共通電極
２３　画素電極
２４　アクティブ素子（ＴＦＴ）
２５　表示媒体層（液晶層）
２６　封止材（シール部）
３０　機能回路
１００、１１０、１２０、１３０、１４０　表示媒体
【図１】
2004054233.tif 000003
【図２】
2004054233.tif 000004
【図３】
2004054233.tif 000005
【図４】
2004054233.tif 000006
【図５】
2004054233.tif 000007
【図６】
2004054233.tif 000008
【図７】
2004054233.tif 000009
【図８】
2004054233.tif 000010
【図９Ａ】
2004054233.tif 000011
【図９Ｂ】
2004054233.tif 000012
【図１０】
2004054233.tif 000013
【図１１Ａ】
2004054233.tif 000014
【図１１Ｂ】
2004054233.tif 000015
【図１２】
2004054233.tif 000016
【図１３Ａ】
2004054233.tif 000017
【図１３Ｂ】
2004054233.tif 000018
【図１４】
2004054233.tif 000019
【図１５】
2004054233.tif 000020
【図１６】
2004054233.tif 000021
【図１７Ａ】
2004054233.tif 000022
【図１７Ｂ】
2004054233.tif 000023